(57)【要約】【課題】昇降板を用いて該昇降板を上昇させてデスクトップとした場合にも幕板が存在するようにする。【解決手段】デスクの天板３に固設する両側枠４，５間に昇降板１５を、該昇降板１５の上部が両側枠４，５の上端より上方へ突出させることができるように昇降可能に備える。両側枠４，５の下端部間を連結する下枠６と前記昇降板１５の下端部間に、上下方向に伸縮可能な幕板部材１９を、その上端側を昇降板１５に連結し、下端側を前記下枠６部に連結して備える。前記昇降板１５の昇降位置を保持する保持手段１６を設ける。【選択図】        図３
2005087423.tif 000002
【特許請求の範囲】
【請求項１】
デスクの天板に固設する両側枠間に昇降板を、該昇降板の上部が両側枠の上端より上方へ突出させることができるように昇降可能に備え、前記両側枠の下端部間を連結する下枠と前記昇降板の下端部間に、上下方向に伸縮可能な幕板部材を、その上端側を昇降板に連結し、下端側を前記下枠部に連結して備え、更に、前記昇降板の昇降位置を保持する保持手段を設けたことを特徴とする幕板兼用デスクトップ装置。
【請求項２】
前記幕板部材を、上下方向に伸縮する幕で形成した請求項１記載の幕板兼用デスクトップ装置。
【請求項３】
前記幕板部材を蛇腹状の幕で形成した請求項１記載の幕板兼用デスクトップ装置。
【請求項４】
前記昇降板と前記下枠のいずれか一方に巻き込み方向に付勢された回転軸を設け、該回転軸に幕を巻き備え、その幕の外端を昇降板と下枠のいずれか他方に固着して前記の幕板部材を形成した請求項１記載の幕板兼用デスクトップ装置。
【請求項５】
昇降板側に、その側端面より出没可能なストッパを、突出方向へ付勢して設け、側枠側に、前記ストッパが係止する係止部を設けて前記の保持手段を構成した請求項１又は２又は３又は４記載の幕板兼用デスクトップ装置。
【発明の詳細な説明】
【技術分野】
【０００１】
本発明は、幕板兼用デスクトップ装置に関するもので、より詳しくは、デスクの天板の前側（着席する側と反対の側）に付設する幕板兼用デスクトップ装置に関する。
【背景技術】
【０００２】
従来、デスクの天板の前側に、着座した人の足が前方から見えないように遮蔽する幕板を設けたものが知られている。
また、デスクの天板の前側に、着座した人の顔が前方から見えないように遮蔽するデスクトップを設けたものも知られている。
【０００３】
更に、１枚のパネルを幕板兼用デスクトップとし、これを昇降可能に設け、このパネルを下降することにより幕板とし、上昇させることによりデスクトップとするものも知られている。
【０００４】
この従来の１枚のパネルを昇降するものにおいては、このパネルを下降して幕板とした場合には、デスクトップの機能はなく、また、このパネルを上昇してデスクトップとした場合には幕板の機能はない。
【発明の開示】
【発明が解決しようとする課題】
【０００５】
本発明が解決しようとする課題は、パネルを下降することにより幕板の機能を有し、パネルを上昇してデスクトップとして使用した場合にも幕板が存在するようにして、常時必要な幕板を存在させながらパネルをデスクトップとしても使用でき、かつ幕板としても使用できる幕板兼用デスクトップ装置を提供することを目的とするものである。
【課題を解決するための手段】
【０００６】
前記の課題を解決するために、請求項１記載の発明は、デスクの天板に固設する両側枠間に昇降板を、該昇降板の上部が両側枠の上端より上方へ突出させることができるように昇降可能に備え、前記両側枠の下端部間を連結する下枠と前記昇降板の下端部間に、上下方向に伸縮可能な幕板部材を、その上端側を昇降板に連結し、下端側を前記下枠部に連結して備え、更に、前記昇降板の昇降位置を保持する保持手段を設けたことを特徴とするものである。
【０００７】
請求項２記載の発明は、前記請求項１記載の発明において、前記幕板部材を、上下方向に伸縮する幕で形成したものである。
【０００８】
請求項３記載の発明は、前記幕板部材を蛇腹状の幕で形成したものである。
【０００９】
請求項４記載の発明は、前記請求項１記載の発明において、前記昇降板と前記下枠のいずれか一方に巻き込み方向に付勢された回転軸を設け、該回転軸に幕を巻き備え、その幕の外端を昇降板と下枠のいずれか他方に固着して前記の幕板部材を形成したものである。
【００１０】
請求項５記載の発明は、前記請求項１又は２又は３又は４記載の発明において、昇降板側に、その側端面より出没可能なストッパを、突出方向へ付勢して設け、側枠側に、前記ストッパが係止する係止部を設けて前記の保持手段を構成したものである。
【発明の効果】
【００１１】
本発明における両側枠を、その上部においてデスクの天板の前側端に取り付けた状態で、昇降板を、その上端部が天板の上面近くに位置する状態まで下降させると、この昇降板と幕板部材によって天板の下部が遮蔽され、幕板の機能を発揮する。
【００１２】
また、昇降板を、その上部が天板より上方へ突出するように上昇させると、その昇降板がデスクトップの機能を発揮し、かつ、その昇降板の下端部と下枠間に設けた幕板部材が伸長して幕板の機能を発揮する。したがって、デスクトップと幕板を必要とする場合に対応することができる。
【発明を実施するための最良の形態】
【００１３】
本発明を実施するための最良の形態を図に示す実施例に基づいて説明する。
【実施例１】
【００１４】
図１は本発明の幕板兼用デスクトップ装置１を、デスク２における天板３の前側（着座側と反対の側）に付設した図で、幕板を有し、デスクトップを有しない状態を示す斜視図で、図２は幕板を有し、かつ、デスクトップも有する状態を示す斜視図である。
【００１５】
図３は本発明の幕板兼用デスクトップ装置を示す斜視図で、両側に位置して側枠４，５を有し、該両側枠４，５の下端は下枠６により連結されている。両側枠４，５の上端間は、相互には連結されていない。両側枠４，５は同一構造であるため一方の側枠４について図３、図５〜図７により説明する。
【００１６】
側枠４の上下方向長は天板３より下方へ所定の長さ、すなわち、幕板を必要とする長さに設定されている。また、該側枠４の横断面形状は図７に示すように、前後壁７，８と、これを連結する連結壁９とで形成されている。連結壁９より内側には、連結壁９と前後壁７，８とで内側と上方が開口する室１０が形成され、連結壁９より外側には連結壁９と前後壁７，８とで外側が開口した室１１が形成されている。
【００１７】
前記室１０内には、連結壁９面に固着されたストッパ板１２が設けられている。該ストッパ板１２は側枠４，５の上下方向の略全長にわたる長さを有する。更に、該ストッパ板１２の内側面には、横方向の係止溝からなる係止部１２ａが形成されており、該係止部１２ａは、図５に示すように、上下方向に所望の間隔Ｄを有して複数形成されている。
【００１８】
前記両側枠４，５の後壁８の上部には、両側枠４，５を天板３の前端縁に取り付けるための取付手段１３が固設されている。該取付手段１３は、両側枠４，５の前壁８に固着した取付片１３ａと、該取付片１３ａの上下において突設した片１３ｂ，１３ｃと、下片１３ｃに螺設した押えボルト１３ｄと、該押えボルト１３ｄを回転するハンドル１３ｅとからなり、上片１３ｂと押えボルト１３ｄ間に天板３を介在し、押えボルト１３ｄを締め付け回転し、上片１３ｂと押えボルト１３ｄで天板３を挟持して両側枠４，５を天板３に取り付けるようになっている。
【００１９】
両側枠４，５の上端には、後述する昇降板１５の昇降を妨げないようにしてカバー１４が付設されている。
なお、前記両側枠４，５において前記と同一部分には前記と同一符号を付してその説明は省略する。
【００２０】
前記両側枠４，５間には昇降板１５が昇降可能に備えられている。該昇降板１５は、パネル部１５ａと、該パネル部１５ａの両端に嵌合した横断面がコ字状の側縁枠１５ｂ，１５ｃと、パネル部１５ａの下端に嵌合した横断面がコ字状の下縁枠１５ｅとからなる。        
【００２１】
該昇降板１５の左右方向（両側枠４，５の配置方向）の長さは、前記両側枠４，５に設けたストッパ板１２相互間の長さよりわずかに短く設定され、また、昇降板１５の厚み、詳しくは側縁枠１５ｂの厚みは、前記両側枠４，５の前後壁７，８間よりわずかに短く設定され、昇降板１５の左右端部が両側枠４，５の室１０内に遊嵌して昇降板１５が両側枠４，５に案内されて昇降できるようになっている。
【００２２】
また、昇降板１５の上下長は、前記両側枠４，５の上下長よりも短く設定されている。
昇降板１５の両側端部には保持手段１６が設けられている。該保持手段１６は、昇降板１５の両側端面、より詳しくは側縁枠１５ｂ，１５ｃの側壁に形成した穴１５ｆより一部が出没する鋼球よりなるストッパ１６ａと、該ストッパ１６ａを突出方向へ付勢するコイルばねからなる付勢手段１６ｂとからなり、ストッパ１６ａの一部を昇降板１５の端面より突出するように常時付勢するとともにその突出位置を規制してストッパ１６ａが脱落しないようになっている。また、ストッパ１６ａは、昇降板１５の厚み方向の中央部に配置され、前記両側枠４，５側に設けたストッパ板１２の係止部１２ａに嵌合係止するようになっている。
【００２３】
前記保持手段１６は、パネル１５ａの端部にナット１７を埋設し、該ナット１７に、内部に前記ストッパ１６ａと付勢手段１６ｂを内蔵した雄ねじ筒体１８を螺合して構成されている。
【００２４】
更に、前記保持手段１６は、図４に示すように、昇降板１５の側端面の下方部において２個、前記係止部１２ａの上下方向の設置間隔Ｄと同間隔で配置されている。
なお、保持手段１６は、前記のように昇降板１５の両側にそれぞれ２個設けてもよいが、昇降板１５の一方の面に１個又は複数個設けるようにしてもよい。
【００２５】
前記昇降板１５の下端、詳しくは下縁枠１５ｅと前記下枠６との間には、上下方向に伸縮可能な幕板部材１９が架設され、その上端が下縁枠１５ｅに固着され、下端が下枠６に固着されている。また、該幕板部材１９の両側部は前記両側枠４，５の室１０内に遊嵌されており、両側部が室１０部に案内されて伸縮するようになっている。該幕板部材１９は、図の実施例では蛇腹状の幕で形成したが、ゴム板などの伸縮材で形成してもよい。
【００２６】
本実施例の幕板兼用デスクトップ装置の使用に際しては、先ず、図１及び図２に示すように取付手段１３をデスク２における天板３の前側端部に取り付けて、両側枠４，５を天板３の前側において垂設するように取り付ける。この取付状態において両側枠４，５の上端が天板３の上面より大きく突出しないように取付手段１３の両側枠４，５への付設位置を設定するとよい。
【００２７】
この取付状態において、着座者の足部が前方から見えないようにする幕板は必要であるが、デスクトップは必要ではない場合には、図１に示すように昇降板１５を、その上面が天板３の上面に近い位置まで下降させる。これにより、昇降板１５と幕板部材１９が、着座者の足部を前方から見えないように遮蔽する幕板の機能を発揮する。
【００２８】
次に、前記のような幕板を必要とし、かつ、着座者の顔が前方から見えないように遮蔽するデスクトップを必要とする場合には、図２に示すように昇降板１５を手動により上昇させる。この昇降板１５を上昇する際には、その保持手段１６のストッパ１６ａが付勢手段１６ｂに抗して昇降板１５側へ没入して、昇降板１５の上昇は妨げられない。昇降板１５を、ストッパ１６ａが、上部に位置する係止部１２ａの溝に嵌合する位置まで上昇させると、ストッパ１６ａが付勢手段１６ｂの付勢力によって係止部１２ａの溝に嵌入し、その付勢手段１６ｂの付勢力によって昇降板１５の上昇位置が保持される。したがって、昇降板１５を、係止部１２ａの形成間隔Ｄの範囲で段階的に上昇してその位置を保持することができる。
【００２９】
上記のように昇降板１５を上昇させることにより、幕板部材１９が伸長し、天板３の上面より突出した昇降板１５によりデスクトップの機能を有し、また、天板３の上面より下方に位置する昇降板１５と幕板部材１９によって幕板の機能を有する。
【００３０】
また、昇降板１５の上昇状態からこれを図１に示すように下降させるには、手動で昇降板１５を下方へ押して下降させる。
【実施例２】
【００３１】
図８は第２実施例を示す。
本第２実施例は、前記第１実施例における保持手段１６の変形例で、昇降板１５の側端面部に板バネ２１を、そのバネ力で出没可能に設け、前記両側枠４，５に、前記ストッパ板１２の代わりに、上下方向に適宜間隔を有して穴２２を形成したストッパ板２３を固設し、板バネ２１を、そのバネ力で穴２２に嵌合係止するようにしたものである。その他の構造は前記第１実施例と同様である。
【００３２】
該第２実施例においても、昇降板１５を所望の位置に昇降させて、板バネ２１を穴２２に係止させることにより、昇降板１５を所望の位置に保持し、前記第１実施例と同様の作用、効果を発揮させることができる。
【実施例３】
【００３３】
図９は第３実施例を示す。
本第３実施例は、前記第１実施例における幕板部材１９の変形例で、幕板部材１９として屈曲可能な幕３１を使用し、該幕３１の上端を前記第１実施例における昇降板１５の下端部、すなわち下縁枠１５ｅに固着し、幕３１の下部を、前記第１実施例における下枠６に設けた巻き込み機構３２に巻き込んだものである。
【００３４】
前記巻き込み機構３２は、下枠６に設けた回転軸３３と、該回転軸３３を巻き込み方向に回転させるように付勢した図示しないコイルバネとからなり、昇降板１５が下降すると幕３１が回転軸３３の周りに巻き込まれ、昇降板１５が上昇すると回転軸３３に巻き込まれた幕が引き出されるようになっており、昇降板１５の昇降が可能で、かつ、昇降板１５と下枠６間に常時幕３１が存在するようになっている。
【００３５】
その他の構造は前記第１実施例と同様である。
本第３実施例においても前記第１実施例と同様の作用、効果を発揮できる。
【実施例４】
【００３６】
図１０は第４実施例を示す。
本第４実施例は、前記第１実施例における保持手段１６の代わりに、昇降板１５の昇降位置を強固に保持するとともに昇降板１５を無段階の位置で保持する保持手段４１にしたものである。
【００３７】
該保持手段４１は、前記第１実施例における両側枠４，５の連結壁９に窓４２を形成し、両側枠４，５の室１１を形成する前後壁７，８間に軸４３を設け、該軸４３に操作レバー４４を回転可能に設け、該操作レバー４４の頭部にカム部４５を形成し、操作レバー４４のレバー部４６を図１０に示すように下動することによりカム部４５が窓４２を通じて昇降板１５の端面、詳しくは側縁枠１５ｂの端面に圧接し、また、レバー部４６を図１０の状態から上方へ回動することによりカム部４５が側縁枠１５ｂの端面より離間するように構成されている。
【００３８】
また、前記昇降板１５の端面、詳しくは側縁枠１５ｂの端面は、その上下方向の全長にわたって平滑面に形成されている。
【００３９】
したがって、両側枠４，５に設けた操作レバー４４，４４のレバー部４６を上動することにより昇降板１５を自由に昇降でき、また、昇降板１５を所望の位置に昇降させてその位置で両操作レバー４４，４４のレバー部４６を下降させることにより、両操作レバー４４，４４のカム部４５，４５で昇降板１５を両側から強く挟持してその位置を強固に保持することができる。したがって、昇降板１５を上昇させた状態で、その上面を人が腕等で不用意に押圧しても昇降板１５の不用意な下動を阻止することができる。
【実施例５】
【００４０】
前記第１実施例における保持手段１６と前記第４実施例における保持手段４１を併用してもよい。また、両側枠４，５と昇降板１５との摺動摩擦抵抗を、自然状態では昇降板１５は下降しないが手動力では昇降板１５を昇降できるように設定して、前記の保持手段１６及び４１を設けない摩擦による保持手段としてもよい。
【図面の簡単な説明】
【００４１】
【図１】本発明の第１実施例を示す斜視図で、デスクの天板に本発明の幕板兼用デスクトップ装置を付設し、昇降板を下降させた図。
【図２】図１の状態から、昇降板を上昇させた斜視図。
【図３】本発明の幕板兼用デスクトップ装置の斜視図。
【図４】図３における昇降板の端部を示す斜視図。
【図５】図３における両側枠に設けられるストッパ板の内端面図。
【図６】図３における昇降板の保持手段を示す一部正断面図。
【図７】図６におけるＡ−Ａ線断面図。
【図８】本発明の第２実施例を示す保持手段の正断面図。
【図９】本発明の第３実施例を示す幕板部材の側断面図。
【図１０】本発明の第４実施例を示す保持手段の斜視図。
【符号の説明】
【００４２】
１    幕板兼用デスクトップ装置
２    デスク
３    天板
４，５    側枠
６    下枠
１３    側枠の取付手段
１６，２１，４１    保持手段
１９，３１    幕板部材
【図１】
2005087423.tif 000003
【図２】
2005087423.tif 000004
【図３】
2005087423.tif 000005
【図４】
2005087423.tif 000006
【図５】
2005087423.tif 000007
【図６】
2005087423.tif 000008
【図７】
2005087423.tif 000009
【図８】
2005087423.tif 000010
【図９】
2005087423.tif 000011
【図１０】
2005087423.tif 000012